(57)【要約】【課題】  光書き込みにおいて画像データ信号を転送するときのＳ／Ｎ比を悪化させることなく、画像データ信号の転送時のＥＭＩレベルを低減できるようにする。【解決手段】  画像データ転送クロック信号の下限が１２．５ＭＨｚの場合、第１クロック生成部１０が周波数１５．１ＭＨｚの画像データ転送クロック信号を、第２クロック生成部１１が周波数１５．２ＭＨｚの画像データ転送クロック信号を、第３クロック生成部１２が周波数１５．３ＭＨｚの画像データ転送クロック信号を、第４クロック生成部１３が周波数１５．４ＭＨｚの画像データ転送クロック信号をそれぞれ生成することにより、ＥＭＩ測定範囲１ＧＨｚまでの場合、第１ＬＥＤヘッド部２〜第４ＬＥＤヘッド部５へそれぞれ画像データ信号と共に出力される画像データ転送クロック信号の高調波が重なることはない。【選択図】        図１
2012061725.tif 000002
【特許請求の範囲】
【請求項１】
複数個の発光素子が一方向に列設されて構成された複数個の発光素子アレイと、該各発光素子アレイに画像データ信号を出力し、該画像データ信号に基いて前記光素子アレイをそれぞれ発光させる複数個の発光素子アレイ制御手段とを有し、前記各発光素子アレイから発光された光によって前記画像データ信号に基く書き込みを行う光書込装置において、
前記各発光素子アレイ制御手段に、前記各発光素子アレイへ前記画像データの信号と共に出力する画像データ転送クロック信号をそれぞれ生成する生成手段を設け、前記各生成手段が生成する各画像データ転送クロック信号の周波数が互いに異なるようにすることを特徴とする光書込装置。
【請求項２】
前記各画像データ転送クロック信号の周波数を互いに異ならせるとき、放射電界ノイズ測定範囲内でそれぞれの高調波が重ならない組み合わせになるようにすることを特徴とする請求項１記載の光書込装置。
【請求項３】
前記各画像データ転送クロック信号の周波数を互いに異ならせるとき、放射電界ノイズ測定範囲内でそれぞれの高調波の重なりが２組以下になるようにすることを特徴とする請求項１記載の光書込装置。
【請求項４】
前記各生成手段は、１つの発振手段から出力される基準クロック信号に基いて、それぞれが互いに異なる周波数の画像データ転送クロック信号を生成する手段であることを特徴とする請求項１記載の光書込装置。
【請求項５】
前記各生成手段にそれぞれ対応する発信手段を設け、該各発信手段はそれぞれ互いに異なる周波数のクロック信号を出力する手段であり、前記各生成手段は、それぞれに対応する発信手段から出力されるクロック信号に基いてそれぞれが互いに異なる周波数の画像データ転送クロック信号を生成する手段であることを特徴とする請求項１記載の光書込装置。
【請求項６】
請求項１乃至５のいずれか一項に記載の光書込装置を備えたことを特徴とする画像形成装置。
【発明の詳細な説明】
【技術分野】
【０００１】
この発明は、電子写真法によって画像を形成するファクシミリ装置、プリンタ、複写機、複合機を含む画像形成装置に用いられる画像の光書き込みを行う光書込装置と、その光書込装置を用いた画像形成装置に関する。
【背景技術】
【０００２】
電子写真法により画像を形成する画像形成装置には、光書込装置にレーザ光源として複数個の発光素子、例えば、複数の発光ダイオード（ＬＥＤ）が一方向に列設されて構成されたＬＥＤ発光アレイヘッド部（発光素子アレイ）を設け、各ＬＥＤを画像信号に基づいて点灯制御し、その出射光をレンズアレイを通して感光体上に結像させることによって感光体上に光書き込みを行い、静電潜像を形成するものがある。
【０００３】
このような画像形成装置では、ＬＥＤアレイヘッド部の発光を制御する書込制御部からＬＥＤアレイヘッド部への画像データ信号の転送時、その転送する信号線に放射電界ノイズが発生し、近くにある他の機器が誤動作してしまう可能性もあるので、電磁妨害（Ｅｌｅｃｔｒｏ  Ｍａｇｎｅｔｉｃ  Ｉｎｔｅｒｆｅｒｅｎｃｅ：ＥＭＩ）レベルを規制範囲内に抑える必要がある。
【０００４】
従来、レギュレータによって画像データ信号のスイングレベルを低い値にすることにより、書込制御部からＬＥＤアレイヘッド部への信号線から発生するＥＭＩレベルを低減させる光書込装置（例えば、特許文献１参照）があった。
また、ＥＭＩレベルを低減させるために、画像データ信号と画像データ転送クロック信号をスペクトラム拡散するものも知られている。
【発明の概要】
【発明が解決しようとする課題】
【０００５】
しかしながら、上述した従来の光書込装置では、画像データ信号のスイングレベルを低い値にしてしまうので、画像データ信号の転送時のＳ／Ｎ比が悪化し、その結果、画像データ信号の品質が低下してしまうという問題があった。
また、上述したように画像データ信号と画像データ転送クロック信号をスペクトラム拡散した場合、例えば、４本のＬＥＤヘッド部を駆動する場合、４倍のエネルギーを放射するため、各ＬＥＤヘッド部への画像データ信号と画像データ転送クロック信号が拡散されたとしても、ＥＭＩのレベルが高くなるという問題があった。
【０００６】
この発明は上記の点に鑑みてなされたものであり、光書き込みにおいて画像データ信号を転送するときのＳ／Ｎ比を悪化させることなく、画像データ信号の転送時のＥＭＩレベルを低減できるようにすることを目的とする。
【課題を解決するための手段】
【０００７】
この発明は上記の目的を達成するため、複数個の発光素子が一方向に列設されて構成された複数個の発光素子アレイと、その各発光素子アレイに画像データ信号を出力し、その画像データ信号に基いて上記発光素子アレイをそれぞれ発光させる複数個の発光素子アレイ制御手段とを有し、上記各発光素子アレイから発光された光によって上記画像データ信号に基く書き込みを行う光書込装置において、上記各発光素子アレイ制御手段に、上記各発光素子アレイへ上記画像データの信号と共に出力する画像データ転送クロック信号をそれぞれ生成する生成手段を設け、上記各生成手段が生成する各画像データ転送クロック信号の周波数が互いに異なるようにした光書込装置を提供する。
【０００８】
また、上記のような光書込装置において、上記各画像データ転送クロック信号の周波数を互いに異ならせるとき、放射電界ノイズ測定範囲内でそれぞれの高調波が重ならない組み合わせになるようにするとよい。
あるいは、上記各画像データ転送クロック信号の周波数を互いに異ならせるとき、放射電界ノイズ測定範囲内でそれぞれの高調波の重なりが２組以下になるようにしてもよい。
【０００９】
また、上記各生成手段は、１つの発振手段から出力される基準クロック信号に基いて、それぞれが互いに異なる周波数の画像データ転送クロック信号を生成する手段にするとよい。
あるいは、上記各生成手段にそれぞれ対応する発信手段を設け、その各発信手段はそれぞれ互いに異なる周波数のクロック信号を出力する手段であり、上記各生成手段は、それぞれに対応する発信手段から出力されるクロック信号に基いてそれぞれが互いに異なる周波数の画像データ転送クロック信号を生成する手段にするようにしてもよい。
さらに、上記のような光書込装置を備えた画像形成装置も提供する。
【発明の効果】
【００１０】
この発明による光書込装置と、画像形成装置は、光書き込みにおいて画像データ信号を転送するときのＳ／Ｎ比を悪化させることなく、画像データ信号の転送時のＥＭＩレベルを低減することができる。
【図面の簡単な説明】
【００１１】
【図１】この発明の一実施例の光書込装置の構成を示すブロック図である。
【図２】図１に示す第１ＬＥＤヘッド部〜第４ＬＥＤヘッド部の各内部構成を示すブロック図である。
【図３】図１に示す第１ＬＥＤ制御部〜第４ＬＥＤ制御部がそれぞれ第１ＬＥＤヘッド部〜第４ＬＥＤヘッド部へ各種信号を出力するときのタイミングチャート図である。
【図４】この発明の画像形成装置の一実施例であるデジタルカラー複写機の内部構成例を示す図である。
【発明を実施するための形態】
【００１２】
以下、この発明を実施するための形態を図面に基づいて具体的に説明する。
図１は、この発明の一実施例である光書込装置の構成を示すブロック図である。
図２は、図１に示す第１ＬＥＤヘッド部２〜第４ＬＥＤヘッド部５の各内部構成を示すブロック図である。
図３は、図１に示す第１ＬＥＤ制御部１４〜第４ＬＥＤ制御部１７がそれぞれ第１ＬＥＤヘッド部２〜第４ＬＥＤヘッド部５へ各種信号を出力するときのタイミングチャート図である。
【００１３】
この光書込装置は、ＣＰＵ、ＲＯＭ及びＲＡＭを含むマイクロコンピュータによって実現され、図１に示すように、書込制御部１と第１ＬＥＤヘッド部２〜第４ＬＥＤヘッド部５と発振器６を備えている。
また、書込制御部１は、内部に、第１クロック生成部１０〜第４クロック生成部１３と、第１ＬＥＤ制御部１４〜第４ＬＥＤ制御部１７を備えている。
さらに、第１ＬＥＤヘッド部２〜第４ＬＥＤヘッド部５は、図２に示すように、それぞれシフトレジスタ４０と点灯データレジスタ４１とＬＥＤアレイ４２を備えている。
【００１４】
書込制御部１は、第１ＬＥＤヘッド部２〜第４ＬＥＤヘッド部５の発光を制御する。
第１ＬＥＤヘッド部２〜第４ＬＥＤヘッド部５は、それぞれ書込制御部１の制御によってレーザ光を発光して光書き込みをする。
発振器６は、書込制御部１が第１ＬＥＤヘッド部２〜第４ＬＥＤヘッド部５へ画像データを出力するときに、同期信号として出力する画像データ転送クロック信号（ＣＬＫ）を作成するための基準クロック信号を発生し、書込制御部１に出力する。
【００１５】
書込制御部１の第１クロック生成部１０〜第４クロック生成部１３は、それぞれ発振器６から入力した基準クロック信号に基いてそれぞれがＥＭＩ測定範囲（「放射電界ノイズ測定周波数範囲」に相当する）内で互いに異なる周波数の画像データ転送クロック信号を生成し、それぞれ対応する第１ＬＥＤ制御部１４〜第４ＬＥＤ制御部１７へ出力する。
【００１６】
第１ＬＥＤ制御部１４〜第４ＬＥＤ制御部１７は、それぞれ外部（例えば、画像形成装置の画像処理部）からライン同期信号（ＬＳＹＮＣ）を入力し、同じく外部から入力した画像データ信号（ＤＡＴＡ）を、上記画像データ転送クロック信号と共にそれぞれ対応する第１ＬＥＤヘッド部２〜第４ＬＥＤヘッド部５のシフトレジスタ４０へ出力する。
また、第１ＬＥＤ制御部１４〜第４ＬＥＤ制御部１７は、第１ＬＥＤヘッド部２〜第４ＬＥＤヘッド部５に対して、それぞれ上記画像データの転送開始を指示するロード信号（ＬＯＡＤ）と、第１ＬＥＤヘッド部２〜第４ＬＥＤヘッド部５の点灯データレジスタ４１に対して、それぞれＬＥＤアレイ４２の点灯を制御するＬＥＤ点灯信号（ＳＴＢ）を出力する。
【００１７】
シフトレジスタ４０は、画像データ転送クロック信号に基いて画像データの格納位置をシフトさせるシフトレジスタ構造の記憶部であり、書込制御部１から受信した画像データ転送クロックに基いてデータの格納位置をシフトさせて、同じく書込制御部１から受信した画像データを蓄積する。この蓄積された画像データは、ＬＥＤアレイ４２の各ＬＥＤのそれぞれについて点灯箇所と点灯させない箇所を示すデータ列である。
また、シフトレジスタ４０は、それぞれ書込制御部１から受信したロード信号に基いてシフトレジスタ４０に格納された画像データを点灯データレジスタ４１に移動させて蓄積する。
【００１８】
点灯データレジスタ４１は、シフトレジスタ４０から受信した画像データを蓄積し、書込制御部１からストローブ信号を受信すると、蓄積した画像データの点灯箇所を示すデータに対応するＬＥＤアレイ４２のＬＥＤを、上記ストローブ信号が入力されている時間だけ点灯し、点灯させない箇所を示すデータに対応するＬＥＤアレイ４２のＬＥＤを、上記ストローブ信号が入力されている時間だけ点灯させないようにする。
ＬＥＤアレイ４２は、複数個の光源であるＬＥＤ（発光素子に相当する）が一方向に列設されて構成された複数個のＬＥＤアレイ（発光素子アレイに相当する）である。
【００１９】
この光書込装置の書込制御部１は、発振器６によって出力される基準クロック信号を第１クロック生成部１０〜第４クロック生成部１３にそれぞれ入力し、第１クロック生成部１０〜第４クロック生成部１３は、それぞれ入力した基準クロック信号に基いてそれぞれが異なる周波数の画像データ転送クロック信号を生成し、それぞれ対応する第１ＬＥＤ制御部１４〜第４ＬＥＤ制御部１７へ出力する。
【００２０】
第１ＬＥＤ制御部１４〜第４ＬＥＤ制御部１７は、図３の（ａ）に示すように、図示を省略した外部からライン同期信号（ＬＳＹＮＣ）５０を入力すると、図３の（ｂ）に示すように、それぞれの第１クロック生成部１０〜第４クロック生成部１３から入力した画像データ転送クロック信号（ＣＬＫ）５１と、図３の（ｃ）に示すように、図示を省略した外部から入力した画像データ信号（ＤＡＴＡ）５２とを、それぞれ対応する第１ＬＥＤヘッド部２〜第４ＬＥＤヘッド部５のシフトレジスタ４０へ出力する。
【００２１】
第１ＬＥＤヘッド部２〜第４ＬＥＤヘッド部５では、シフトレジスタ４０が、書込制御部１から受信した画像データ転送クロック信号に同期させて画像データを蓄積する。
また、第１ＬＥＤ制御部１４〜第４ＬＥＤ制御部１７は、画像データの出力を終了すると、図３の（ｄ）に示すように、それぞれ第１ＬＥＤヘッド部２〜第４ＬＥＤヘッド部５のシフトレジスタ４０に蓄積した画像データを点灯データレジスタ４１に移動させるロード信号（ＬＯＡＤ）５３を出力する。
【００２２】
第１ＬＥＤヘッド部２〜第４ＬＥＤヘッド部５では、シフトレジスタ４０が、書込制御部１から受信したロード信号に基いて、蓄積した画像データを点灯データレジスタ４１へ移動させて蓄積する。
さらに、第１ＬＥＤ制御部１４〜第４ＬＥＤ制御部１７は、画像データの移動を終了すると、図３の（ｅ）に示すように、それぞれ第１ＬＥＤヘッド部２〜第４ＬＥＤヘッド部５の点灯データレジスタ４１に蓄積した画像データに基いてＬＥＤアレイ４２を点灯させるＬＥＤ点灯信号（ＳＴＢ）５４を出力する。
【００２３】
第１ＬＥＤヘッド部２〜第４ＬＥＤヘッド部５では、点灯データレジスタ４１が、書込制御部１から受信したＬＥＤ点灯信号に基いて、ＬＥＤ点灯信号の続く時間だけＬＥＤアレイ４２のＬＥＤを、蓄積した画像データに基いて点灯させるＬＥＤを点灯し、点灯させないＬＥＤを点灯させないようにする。
【００２４】
この光書込装置は、４個のＬＥＤヘッド部を備えた場合を示しており、例えば、画像形成装置に用いた場合、第１ＬＥＤヘッド部２〜第４ＬＥＤヘッド部５をカラー画像の４色の色成分Ｙ、Ｍ、Ｃ、Ｋの画像をそれぞれ書き込むように対応させれば、それぞれレーザ光の照射先の各感光体上に照射することによって４色の画像の静電潜像を形成することができる。
【００２５】
また、ＬＥＤヘッド部をさらに増やした場合、それに対応させて書込制御部１のクロック生成部とＬＥＤ制御部とを追加し、上述と同様にして駆動させることにより、４個以上のＬＥＤヘッド部による光書き込みを実施することができる。
例えば、５色の光書き込みを想定した場合、ＬＥＤヘッド部、クロック生成部、ＬＥＤ制御部の組み合わせを５個設け、６色の光書き込みを想定した場合、ＬＥＤヘッド部、クロック生成部、ＬＥＤ制御部の組み合わせを６個設け、さらに多数色の光書き込みを想定した場合はその数に対応するＬＥＤヘッド部、クロック生成部、ＬＥＤ制御部の組み合わせを設けて、上述と同様の制御を行うようにすれば上述の４個のＬＥＤヘッド部の場合と同様に光書き込みを行える。
【００２６】
なお、上記第１クロック生成部１０〜第４クロック生成部１３としては、例えば、フェーズロックループ（Ｐｈａｓｅ  Ｌｏｃｋｅｄ  Ｌｏｏｐ：ＰＬＬ）などの回路を用いても良い。また、上記発振器６は、基準クロック信号を発生できるものならば、水晶振動子を含む他の種類の発振器に代えても良い。さらに、上記第１クロック生成部１０〜第４クロック生成部１３に、それぞれ発振器又は水晶振動子を接続し、その各発振器又は水晶振動子が、それぞれ異なる周波数の基準クロック信号を出力するようにしてもよい。この場合、上記第１クロック生成部１０〜第４クロック生成部１３は、それぞれ入力された基準クロック信号の周波数に対応する画像データ転送クロック信号を生成して出力することにより、上記第１クロック生成部１０〜第４クロック生成部１３から出力される各画像データ転送クロック信号の周波数を異ならせることができる。
【００２７】
このようにして、ＬＥＤアレイ４２のＬＥＤの点灯タイミングはＬＥＤ点灯信号（ストローブ信号）のみで決定されており、画像データ転送クロック信号は、ＬＥＤアレイ４２のＬＥＤの点灯タイミングとは同期していない為、画像データ転送クロック信号が第１ＬＥＤヘッド部２〜第４ＬＥＤヘッド部５で異なっていても、第１ＬＥＤヘッド部２〜第４ＬＥＤヘッド部５で書き込まれた画像データに位置ずれ（画像印刷の場合は印刷画像の色ずれ）にはならない。
【００２８】
また、第１ＬＥＤヘッド部２〜第４ＬＥＤヘッド部５にそれぞれ入力される画像データ転送クロック信号（ＣＬＫ）は、放射電界ノイズ測定範囲内でそれぞれの高調波が重ならない組み合わせになるようにしているので、画像データ転送信号のＳ／Ｎ比を悪化させることなく、放射電界ノイズの発生を抑制することができる。
【００２９】
例えば、ライン同期信号の周期が２００μｓであり、第１ＬＥＤヘッド部２〜第４ＬＥＤヘッド部５のデータ数が１００００ｄｏｔであり、画像データを４ｂｉｔ（ｄｏｔ）ずつ送る場合、画像データ転送クロック信号の下限は、１／（２００／（１００００／４））＝１２．５ＭＨｚである。
【００３０】
そこで、ロード信号の時間やマージンを見て、第１クロック生成部１０が生成して第１ＬＥＤ制御部１４に出力する画像データ転送クロック信号（第１ＬＥＤヘッド部２への画像データ転送クロック信号）の周波数を１５．１ＭＨｚにし、第２クロック生成部１１が生成した第２ＬＥＤ制御部１５に出力する画像データ転送クロック信号（第２ＬＥＤヘッド部３への画像データ転送クロック信号）の周波数を１５．２ＭＨｚにする。
【００３１】
また、第３クロック生成部１２が生成した第３ＬＥＤ制御部１６に出力する画像データ転送クロック信号（第３ＬＥＤヘッド部４への画像データ転送クロック信号）の周波数を１５．３ＭＨｚにし、第４クロック生成部１３が生成した第４ＬＥＤ制御部１７に出力する画像データ転送クロック信号（第４ＬＥＤヘッド部５への画像データ転送クロック信号）の周波数を１５．４ＭＨｚにして、ＥＭＩ測定範囲が１ＧＨｚまでの場合、各クロックの高調波が重なることはない。
あるいは、放射電界ノイズ測定範囲内でそれぞれの高調波の重なりが２組以下になるようにしても、上記のように各クロックを異ならせた場合ほどではないが、画像データ転送信号のＳ／Ｎを低下させることなく、放射電界ノイズの発生を抑制することができる。
【００３２】
次に、上述の光書込装置を用いた画像形成装置の一例について説明する。
図４は、この発明の画像形成装置の一実施例であるデジタルカラー複写機の内部構成例を示す図である。
デジタルカラー複写機２０は、タンデム方式でカラー画像を形成する画像形成装置画像形成装置であり、給紙部２１、原稿搬送部２２、原稿読取部２３、及び画像形成部２４を有する。
【００３３】
給紙部２１は、複数のトレイ部３３を備えており、プリント、コピー時に、搬送手段３４によって各トレイ部３３の用紙Ｐを画像形成部２４へ給紙する。
原稿搬送部２２は、画像読み取り時に原稿を原稿読取部２３へ搬送する。
原稿読取部２３は、内部に図示を省略した光源やミラーを含む複数の部品を有し、原稿搬送部２２から給紙される原稿の画像を読み取り、その画像データを入力するスキャナ機構部である。上記各部品については公知なので詳細な説明を省略する。
【００３４】
画像形成部２４は、中間転写ベルト２５が設けられており、その周りには４個の感光体（ドラム状の感光体の場合「感光体ドラム」とも呼ぶ）２６ｙ〜２６ｋが並べて配置されている。
感光体２６ｙは、表面にイエロー（Ｙ）のトナー画像が書き込まれ、そのイエローのトナー画像を中間転写ベルト２５に転写するための画像担持体であり、感光体２６ｍは、表面にマゼンタ（Ｍ）のトナー画像が書き込まれ、そのマゼンタのトナー画像を中間転写ベルト２５に転写するための画像担持体である。
【００３５】
また、感光体２６ｃは、表面にシアン（Ｃ）のトナー画像が書き込まれ、そのシアンのトナー画像を中間転写ベルト２５に転写するための画像担持体であり、感光体２６ｋは、表面にブラック（Ｋ）のトナー画像が書き込まれ、そのブラックのトナー画像を中間転写ベルト２５に転写するための画像担持体である。
【００３６】
すなわち、この画像形成部２４は、中間転写ベルト２５に複数の異なる色の画像を重ねるようにして各色の画像からなる画像を形成する画像形成手段の機能を果たす。
中間転写ベルト２５は、各感光体２６ｙ〜２６ｋのいずれか１つに書き込まれた単色のトナー画像が転写、各感光体２６ｙ〜２６ｋに書き込まれた複数の色のトナー画像が重ねて転写される画像担持体である。
【００３７】
この中間転写ベルト２５を張架しながら無端移動させるための中間転写ユニットには、中間転写ベルト２５の他、公知なので符号を付して示すのを省略した、複数の１次転写バイアスローラ、クリーニング装置、２次転写バックアップローラ、クリーニングバックアップローラ、テンションローラ等が備えられている。
【００３８】
画像形成部２４には、各感光体２６ｙ〜２６ｋの周りに、各感光体２６ｙ〜２６ｋのそれぞれの表面を帯電処理する各帯電装置２７ｙ〜２７ｋと、それぞれの感光体２６ｙ〜２６ｋの表面に形成された静電潜像をそれぞれの色のトナーで可視像化する各現像装置（「現像ユニット」とも呼ぶ）２８ｙ〜２８ｋと、各感光体２６ｙ〜２６ｋ上にそれぞれ形成されたトナー像（可視像）を中間転写ベルト２５上に重ねるように転写した後に各感光体２６ｙ〜２６ｋに残ったトナーを回収する各クリーニング装置２９ｙ〜２９ｋをそれぞれ設けている。
【００３９】
また、各感光体２６ｙ〜２６ｋのそれぞれの表面上に静電潜像を形成する露光部３１ｙ〜３１ｋを備えており、それらの発光を制御する書込制御部３０と、その書込制御部３０に基準クロック信号（基準クロックパルス信号）を供給する発振器３２が設けられている。上記書込制御部３０が、図１における書込制御部１に相当し、上記露光部３１ｙ〜３１ｋが、図１における第１ＬＥＤヘッド部２〜第４ＬＥＤヘッド部５にそれぞれ相当し、上記発振器３２が、図１における発振器６に相当する。
【００４０】
そして、書込制御部３０が発振器３２からの基準クロック信号と画像データに基いて露光部３１ｙ〜３１ｋのＬＥＤを点灯制御し、その出射光を図示を省略したレンズアレイを通して感光体２６ｙ〜２６ｋ上にそれぞれ結像させることによって感光体２６ｙ〜２６ｋ上に光書き込みを行い、静電潜像を形成する。
【００４１】
このデジタルカラー複写機２０は、フルカラー印刷（「ＦＣ印刷」と略称する）の場合、中間転写ベルト２５に、各感光体２６ｙ〜２６ｋに書き込まれた各トナー画像を重ねるように転写し、フルカラーのトナー画像を形成する。また、モノクロ印刷（「Ｂｋ印刷」と略称する）の場合、中間転写ベルト２５に、感光体２６ｋに書き込まれたブラックのトナー画像を転写し、モノクロのトナー画像を形成する。
【００４２】
一方、給紙部２１のトレイ部３３から搬送手段３４によって搬送された用紙（転写紙）Ｐは、レジストローラ部３５において一旦停止し、中間転写ベルト２５の回転と同期をとって再給紙され、転写ローラ部３６によって中間転写ベルト２５上のトナー像を用紙Ｐに転写する。トナー像が転写された用紙Ｐは定着装置（「定着ユニット」とも呼ぶ）３７によって定着処理され、最後に排紙手段３８によって排紙収納部３９に排出される。
このようにして、このデジタルカラー複写機２０では、画像データ転送信号のＳ／Ｎ比を低下させることなく、放射電界ノイズの発生を抑制した画像形成を行うことができる。
【産業上の利用可能性】
【００４３】
この発明による光書込装置と、画像形成装置は、電子写真法によって画像を形成するファクシミリ装置、プリンタ、複写機、複合機を含む画像形成装置に適用することができる。
【符号の説明】
【００４４】
１：書込制御部    ２：第１ＬＥＤヘッド    ３：第２ＬＥＤヘッド    ４：第３ＬＥＤヘッド    ５：第４ＬＥＤヘッド    ６：発振器    １０：第１クロック生成部    １１：第２クロック生成部    １２：第３クロック生成部    １３：第４クロック生成部    １４：第１ＬＥＤ制御部    １５：第２ＬＥＤ制御部    １６：第３ＬＥＤ制御部    １７：第４ＬＥＤ制御部    ２０：デジタルカラー複写機    ２１：給紙部    ２２：原稿搬送部    ２３：原稿読取部    ２４：画像形成部    ２５：中間転写ベルト    ２６ｙ〜２６ｋ：感光体    ２７ｙ〜２７ｋ：帯電装置    ２８ｙ〜２８ｋ：現像装置    ２９ｙ〜２９ｋ：クリーニング装置    ３０：書込制御部    ３１ｙ〜３１ｋ：露光部    ３２：発振器    ３３：トレイ部    ３４：搬送手段    ３５：レジストローラ部    ３６：転写ローラ部    ３７：定着装置    ３８：排紙手段    ３９：排紙収納部    ４０：シフトレジスタ    ４１：点灯データレジスタ    ４２：ＬＥＤアレイ
【先行技術文献】
【特許文献】
【００４５】
【特許文献１】特開２００９−２６２４３５号公報
【図１】
2012061725.tif 000003
【図２】
2012061725.tif 000004
【図３】
2012061725.tif 000005
【図４】
2012061725.tif 000006